(57)【特許請求の範囲】
【請求項１】
撮影部と液晶表示部とを備えた上側端末本体と、操作釦を備えた下側端末本体とを、該液晶表示部と該操作釦とが対向するようにヒンジ部を介して開閉可能に接続し、
前記上側端末本体の頂面に凹部を設けると共に、ＣＭＯＳやＣＣＤ等の撮影部材と該撮影部材を内装する撮影部筐体とを有する撮影部を上下左右方向回動可能にする回動機構を介して前記凹部内に配設し、
該撮影部は、該上側端末本体と前記下側端末本体との閉状態時に該凹部から該撮影部が突出しないような所定形状に形成されており、
前記撮影部筐体は、上側端末本体の厚さ寸法と略同寸法の厚さでもって形成された略円柱状を呈しその円周面に該撮影部材に結像させるレンズ部材を配設して構成されると共に前記回動機構によって上側端末本体頂面に対して上下左右方向回動可能に接続されており、
前記回動機構は、撮影部配線を挿通させる連通孔が開孔された芯杆の基部に平面円板状に突出形成された第１フランジ部と頂部に前記撮影部筐体円周面の曲率と略同曲率でもって凹湾曲状に突出形成された第２フランジ部とが設けられた連結部材と、前記上側端末本体の頂面内に前記第１フランジ部と回動可能に係合するように形設された第１被係合部と、前記撮影部筐体の円周面周方向に前記第２フランジ部とスライド可能に係合するように周設された第２被係合部とで構成されてなり、該第１フランジ部と該第１被係合部とが係合して該撮影部が左右方向回動可能に接続されていると共に、該第２フランジ部と該第２被係合部とが係合して該撮影部が上下方向回動可能に接続されていることを特徴とする携帯端末装置。
【請求項２】
前記第２被係合部は、前記レンズ部材が前記液晶表示部に対して略垂直方向に向く位置を上下方向回動始点とし、該上側端末本体に対して該レンズ部材が略真上を向く位置を上下方向回動終点とするように周設されて該レンズ部材が上下方向に回動規制されていることを特徴とする請求項１記載の携帯端末装置。
【請求項３】
前記第１フランジ部外面に凸部が突出形成され、前記第１被係合部は、該凸部が所定角度回動可能に形成された大径部と該第１フランジ部外周面と摺接可能に形成された小径部とが段部を介して連続形成された回動規制部が設けられ、該凸部が該段部に当接することで左右方向に回動規制されていることを特徴とする請求項２記載の携帯端末装置。
【請求項４】
前記凸部と前記回動規制部は、該上側端末本体と該下側端末本体との閉動作を行うことで左右方向任意に位置した該撮影部を該下側端末本体に当接案内させて該撮影部を収納位置に位置させるように設けられていることを特徴とする請求項３記載の携帯端末装置。
【請求項５】
弾発性を有する所定形状に突出形成され外部との電気的な接続が行われる接触金具を前記撮影部材に設けると共に、該接触金具が上下方向摺動可能に凹湾曲状に形成され該接触金具と弾発係合する帯板部が前記連通孔に嵌着した芯杆部の頂部に固着されかつ芯杆部基部が前記上側端末本体内に設けられた内部配線接続部に左右方向回動可能に当接されてなるプローブを介して該撮影部と端末本体とが電気的に接続されていることを特徴とする請求項４記載の携帯端末装置。
【発明の詳細な説明】
【０００１】
【発明の属する技術分野】
本発明は、撮影部を有した携帯型電話機などの携帯端末装置に関する。
【０００２】
【従来の技術】
昨今、インターネットや電子メールを可能とした携帯端末装置が市場を賑わせている。なかでも携帯電話は、単なる情報の伝達するための一手段に留まらず、ネットワークコミュニティツールとしての役割を演じている。
この携帯端末装置は、本体に撮影機能を設け、該機能によって画像データの取得や、転送などの取扱いや、画像のリアルタイム通信を行うものが提案されており、特に携帯電話に撮影部を設け、電子メール本文と共に取り込んだ静止画像を相手側に送信することにより、娯楽性あるいは実用性の向上が期待でき、極めて好適なものといえる。
【０００３】
このように撮影機能を有した携帯端末装置は、さらなる撮影機能の向上を図ることは重要なことであり、このような撮影機能を有した装置として、たとえば、特開２００１−１６９１６６号公報に開示された携帯端末と、特開平１０−７５２８７号公報に開示された携帯テレビ電話、さらに図９（１）、（２）に例示した携帯端末装置などがある。
【０００４】
前者の特開２００１−１６９１６６号公報に開示された携帯端末は、自分の表情を撮影する第２撮影用レンズとタッチパネル付きモニターとを有したフリップ部と、画像及び音声の無線送受信機能を備えた装置本体部とが、該第２撮影用レンズと反対方向である風景を撮影するための第１撮影用レンズが設けられた開閉軸と回転軸を介して連結されて構成されており、該開閉軸によって該フリップ部と装置本体部とが開閉可能になっていると共に、該回転軸によって、装置本体部に対してフリップ部が左右方向首振り可能になっている。
このように構成することにより、自分の見ている風景と自分の表情とが容易に撮影可能になると共に、装置本体部とフリップ部との向きを柔軟に各機能の実行に最適な方向に向けることができる、としている。
【０００５】
後者の特開平１０−７５２８７号公報に開示された携帯テレビ電話は、表示部と操作部とがヒンジ部を介して開閉可能に接続され、該表示部の上面部略中央には出没可能および左右方向首振り可能な円筒形カメラが設けられて構成されている。
このように構成することで、カメラ未使用時にはレンズおよびカメラ部を表示部内に収納させることにより保護することができ、また、カメラ使用時には本体を動かすことなくカメラ向きを変えることができる、としている。
【０００６】
また、他の従来の撮影機能を有した携帯端末装置は、図９（１）、（２）に例示した携帯電話機がある。
この携帯電話機は、図９（１）、（２）に示すように、上側端末本体ａと下側端末本体ｂとを開閉可能に接続するヒンジ部ｃの右側略半分に、カメラが内装された撮影部ｄを配設して構成されている。
【０００７】
ここに挙げた従来のものは、装置の構成部品を効率良く配置しているもので、携帯端末に付加する為の撮影部品の小型化や回転機能の追加において一応の効果を奏しているといえる。
【０００８】
【発明が解決しようとする課題】
しかしながら、この上記した特開２００１−１６９１６６号公報に開示された携帯端末は、換言してみれば、鏡を見るが如く自分の顔がモニターに映し出されることを可能とするために自分撮影用の第２撮影用レンズとタッチパネル付きモニターとがフリップ部の同一平面上に固設し、さらにその上で、各機能の実行に最適な方向に向けられるようにするため、フリップ部と装置本体部とが一体化された開閉軸と回転軸を介して接続したものといえる。
【０００９】
したがって、本来の目的は達成していることから好適なものといえるが、逆に、自分撮影用の第２撮影用レンズとタッチパネル付きモニターとがフリップ部の同一平面上に固設するということは、モニターで確認をとりながら他の方向を撮影するのは不向きである。この不具合は、開閉軸に設けられた第１撮影用レンズで解消してはいるものの、部品点数を増加させ、構造的に小型化に貢献できないものと思われる。
【００１０】
また、後者の特開平１０−７５２８７号公報に開示された携帯テレビ電話は、上記したように表示部の上面部略中央に出没可能に設けられた円筒形カメラが左右方向にのみ首振り可能に構成されており、上下方向の撮影を制限している。
【００１１】
さらに、図９（１）、（２）に例示した携帯電話機は、撮影部を回転させるヒンジを端末本体の回転に使用できるヒンジ部と共用することで小型化を達成してはいるものの、撮影部の回転に対して制約ができてしまう。この点において新たに回転方向の追加が困難であり、撮影方向が限られるという問題をもたらしている。
しかも、回転方向の追加への適応を考えてみると、ヒンジ部共用化による部品削減のために、構造的に厚く大きくなることが多く、近年求められている軽量、薄型化の面からも不利な構造になることは否めない。
【００１２】
そこで、本発明における第１の目的は、液晶表示部を有する上側端末本体と、操作釦を有する下側端末本体とがヒンジ部を介して開閉可能に接続され、撮影方向の自由度を向上させた撮影部を設けた携帯端末装置を提供することにある。
また、他に目的とする処は、撮影部が上側端末本体と下側端末本体とが折り畳まれた場合において、撮影部が本体から突出せず、かつ、通撮影部が下側端末本体及び操作釦などを破壊しないような所要角度に回転する携帯端末装置を提供することにある。
さらに、撮影部および回動機構の部品点数を削減し、上側端末本体と撮影部とが極めて簡単な構造でもって上下左右方向回動可能に接続させて、組立性の向上、経済性の向上を図った極めて好適な携帯端末装置を提供することにある。
【００１３】
【課題を解決するための手段】
上記課題を解決するために、本発明における携帯端末装置は、下記の技術的手段を講じた。
撮影部と液晶表示部とを備えた上側端末本体と、操作釦を備えた下側端末本体とを、該液晶表示部と該操作釦とが対向するようにヒンジ部を介して開閉可能に接続し、上側端末本体の頂面に凹部を設けると共に、ＣＭＯＳやＣＣＤ等の撮影部材と該撮影部材を内装する撮影部筐体とを有する撮影部を上下左右方向回動可能にする回動機構を介して凹部内に配設し、該撮影部は、該上側端末本体と下側端末本体との閉状態時に該凹部から該撮影部が突出しないような所定形状に形成されており、撮影部筐体は、上側端末本体の厚さ寸法と略同寸法の厚さでもって形成された略円柱状を呈しその円周面に該撮影部材に結像させるレンズ部材を配設して構成されると共に回動機構によって上側端末本体頂面に対して上下左右方向回動可能に接続されており、回動機構は、撮影部配線を挿通させる連通孔が開孔された芯杆の基部に平面円板状に突出形成された第１フランジ部と頂部に撮影部筐体円周面の曲率と略同曲率でもって凹湾曲状に突出形成された第２フランジ部とが設けられた連結部材と、上側端末本体の頂面内に第１フランジ部と回動可能に係合するように形設された第１被係合部と、撮影部筐体の円周面周方向に第２フランジ部とスライド可能に係合するように周設された第２被係合部とで構成されてなり、該第１フランジ部と該第１被係合部とが係合して該撮影部が左右方向回動可能に接続されていると共に、該第２フランジ部と該第２被係合部とが係合して該撮影部が上下方向回動可能に接続した（請求項１）。
【００１４】
また、前記した第２被係合部は、前記レンズ部材が前記液晶表示部に対して略垂直方向に向く位置を上下方向回動始点とし、該上側端末本体に対して該レンズ部材が略真上を向く位置を上下方向回動終点とするように周設されて該レンズ部材が上下方向に回動規制されていることが好ましい（請求項２）。
【００１５】
さらに、前記した第１フランジ部外面に凸部が突出形成され、前記第１被係合部は、該凸部が所定角度回動可能に形成された大径部と該第１フランジ部外周面と摺接可能に形成された小径部とが段部を介して連続形成された回動規制部が設けられ、該凸部が該段部に当接することで左右方向に回動規制されていることが好ましい（請求項３）。
【００１６】
前記した凸部と前記回動規制部は、該上側端末本体と該下側端末本体との閉動作を行うことで左右方向任意に位置した該撮影部を該下側端末本体に当接案内させて該撮影部を収納位置に位置させるように設けられていることが好ましい（請求項４）。
【００１７】
弾発性を有する所定形状に突出形成され外部との電気的な接続が行われる接触金具を前記撮影部材に設けると共に、該接触金具が上下方向摺動可能に凹湾曲状に形成され該接触金具と弾発係合する帯板部が前記連通孔に嵌着した芯杆部の頂部に固着されかつ芯杆部基部が前記上側端末本体内に設けられた内部配線接続部に左右方向回動可能に当接されてなるプローブを介して該撮影部と端末本体とが電気的に接続されていることが好ましい（請求項５）。
【００１８】
【発明の実施の形態】
次に本発明にかかる携帯端末装置を携帯電話に適用した場合の実施形態を、図面に基づいて説明する。図１および図２は、本実施形態における携帯電話の概略を例示し、図３〜図５は本発明の第１の実施の形態を、図６〜図８は本発明の第２の実施の形態を、夫々例示している。まず、本実施形態における携帯電話の概略を簡単に説明する。
【００１９】
本実施形態における携帯電話は、図１および図２に示すように、背面に設けられたアンテナ部１１と、開閉内側に設けられ電話番号、アドレス、電子メールやインターネットのテキスト文、画像等を表示する液晶表示部１２とを有し左頂部が段差状の凹部１７、２７が形成されその凹部１７、２７内に撮影部１００、２００が配設された上側端末本体１３、２３と、開閉内側に設けられ電話番号、テキスト文などを入力するための操作釦１４が配設された下側端末本体１５とが、上側端末本体１３、２３と下側端末本体１５夫々に一体成形されたヒンジ部１６を介して該液晶表示部１２と該操作釦１４とが対向するように開閉可能に接続されている。
【００２０】
この上側端末本体１３、２３内と下側端末本体１５内には、携帯電話機能、撮影部１００、２００による撮影画像が送信可能な電子メール機能、インターネット機能、等の各機能を実現するための所要の電子回路（図示せず）が内装されており、携帯電話としての機能は周知のものである。
【００２１】
以下、本願発明の要部である撮影部廻りについて詳細に説明する。
（実施形態１）
実施形態１における携帯電話の撮影部廻りは、撮影部１００と、回動機構１０１とを備えてなる。
撮影部１００は、撮影部材１０２と、撮影部筐体１０３とを備えてなる。
【００２２】
撮影部材１０２は、小径部と大径部からなる略円柱状を呈しＣＭＯＳやＣＣＤ等の画像信号を生成するイメージセンサーが内装されている。
撮影部筐体１０３は、図３および図４に示すように、上側端末本体１３と下側端末本体１５との閉状態時に凹部１７から撮影部１００が突出しないように上側端末本体１３の厚さ寸法より若干小さい所要の寸法の厚さで、かつ、凹部１７内から突出しないように所要径でもって外観視略円柱状に形成されており、後述する第２被係合部１１０の上下方向回動始点位置と直交する円周面位置（図３において左位置）に撮影部材１０２に結像させるレンズ部材１０４が嵌合されている。
【００２３】
この撮影部筐体１０３内部は、図４に示すように、小径部と大径部からなる略円柱状を呈した撮影部材１０２を着脱可能に嵌合した側面視Ｕ字状の取付部１０５が垂設されている。この取付部１０５に嵌合された撮影部材１０２から延出した配線１０６は、取付部１０５中央下部に設けられたスリット１０７と、後述する連結部材１０８の連通孔１１３を通って、端末本体内に設けられた各機能を実現するための電子回路基板（図示せず）に接続されている。なお、撮影部１００の上下方向の回動機構を構成する第２被係合部１１０が撮影部筐体１０３内面に周設されているが、詳細は後述する。
【００２４】
回動機構１０１は、連結部材１０８と、第１被係合部１０９と、第２被係合部１１０とで構成される。
連結部材１０８は、芯杆の基部に平面円板状に突出形成された第１フランジ部１１１と、頂部に前記撮影部筐体円周面の曲率と略同曲率でもって凹湾曲状に突出形成された第２フランジ部１１２とが設けられ、その中央部には撮影部材１０２からの配線１０６が挿通した連通孔１１３が開孔されている。
【００２５】
第１被係合部１０９は、図３に示すように、上側端末本体１３の左頂部に形成された段差状の凹部１７略中央内側に、第１フランジ部１１１を回動可能に保持するように平面視円形状にガイド孔１１４が上側端末本体１３と一体成形されて形成されており、上記した第１フランジ部１１１とこの第１被係合部１０９とが係合して撮影部１００が左右方向回動可能に接続されている。
【００２６】
第２被係合部１１０は、レンズ部材１０４が液晶表示部１２に対して略垂直方向に向く位置を上下方向回動始点とし、上側端末本体１３に対してレンズ部材１０４が略真上を向く位置を上下方向回動終点とするように撮影部筐体１０３内に第２フランジ部１１２とスライド可能に係合するように撮影部筐体１０３と一体成形されて形成されており、第２フランジ部１１２とこの第２被係合部１１０とが係合して該撮影部１００が略９０度上下方向回動可能に接続されている。このレンズ部材１０４（撮影方向）が略真上となるように撮影部１００を上方向に回動させた状態を図５に示す。なお、第２フランジ部１１２と第２被係合部１１０は凹湾曲していることで、左右方向の回動は抑止されている。
【００２７】
以上のように構成された実施形態１における携帯電話は、携帯電話利用時において、上側端末本体１３と下側端末本体１５とを開くことで液晶表示部１２が点灯し、携帯電話機能、電子メール機能、インターネット機能等の各機能が利用可能となる。このとき、電子メールに自己の撮影画像等を添付したいとは、撮影部１００を上下左右方向の所望の位置まで回動させ撮影釦を押動させることで画像メモリ内に静止画像が取り込まれ、所定の操作をすることで撮影画像が添付されたメール本文が送信される。
【００２８】
そして携帯電話の利用が終了したら、レンズ部材１０４が略左真横を向く位置に位置させて（図１および図２において実線で示された撮影部の位置）上側端末本体１３と下側端末本体１５とを閉じる。このとき、上側端末本体１３と下側端末本体１５とから撮影部１００が突出することなく下側端末本体１５と撮影部１００が近接（略当接に近い状態）した状態で撮影部１００が収納される。
【００２９】
（実施形態２）
実施形態２における携帯電話の撮影部廻りは、撮影部の左右方向の回動規制を設けると共に、撮影部の配線が撮影部の回動に伴って遊動することを防止する機構を介して端末本体内の各機能を実現する電子回路基板に接続した例であり、実施形態１と共通する構成は同一符号を付す。
【００３０】
実施形態２における携帯電話の撮影部廻りは、撮影部２００と、回動機構２０１とを備えてなる。
撮影部２００は、撮影部材２０２と、撮影部筐体２０３とを備えてなる。
撮影部材２０２は、小径部と大径部からなる略円柱状を呈しＣＭＯＳやＣＣＤ等の画像信号を生成するイメージセンサーが内装されており、大径部下面略中央部から、略Ｌ字状に折り曲げた先部を釣り針状に折り曲げて弾発性を有するように形成された外部との電気的な接続が行われる接触金具２０６が突出している。
【００３１】
撮影部筐体２０３は、図６に示すように、上側端末本体２３と下側端末本体１５との閉状態時に凹部２７から撮影部２００が突出しないように上側端末本体２３の厚さ寸法より若干小さい所要の寸法の厚さで、かつ、凹部２７内から突出しないように所要径でもって外観視略円柱状に形成されており、後述する第２被係合部の上下方向回動始点位置と直交する円周面位置（図６において左位置）に撮影部材に結像させるレンズ部材１０４が嵌合されている。
【００３２】
この撮影部筐体２０３内部は、図６に示すように、略断面コ字状を呈し撮影部を着脱可能に嵌合した取付部２０５が設けられている。この取付部２０５底部（図６において右側の側面）略中央には連通孔２０４が開孔されており、撮影部材２０２の接触金具２０６が挿通されている。なお、撮影部２００の上下方向の回動機構を構成する第２被係合部２１０が撮影部筐体２０３内面に周設されているが、詳細は後述する。
【００３３】
回動機構２０１は、プローブ２０７と、連結部材２０８と、第１被係合部２０９と、第２被係合部２１０とで構成される。
プローブ２０７は、上記した接触金具２０６が上下方向摺動可能に案内する凹湾曲状に形成され該接触金具２０６と弾発係合する帯板部２１１と、その帯板部２１１下部に垂設された芯杆部２１２とからなっていると共に、この芯杆部２１２は、上側端末本体２３内に設けられた内部配線接続部２４に回動可能に接触させる接触子２１３と該接触子２１３を付勢させる圧縮ばね２１４が内装され該接触子２１３基部を案内する筒部２１５とから構成される。
【００３４】
連結部材２０８は、芯杆の基部に平面円板状に突出形成された第１フランジ部２１６と、頂部に前記撮影部筐体２０３円周面の曲率と略同曲率でもって凹湾曲状に突出形成された第２フランジ部２１７とが設けられ、その中央部には上記したプローブ２０７の筒部２１５が嵌合した連通孔２１８が開孔されている。また、この第１フランジ部２１６には、図６および図７に示すように、撮影方向（レンズ部材１０４と同一方向）の外面下部に左右方向に回動規制をする凸部２１９が突出形成されている。
【００３５】
このようにして、連結部材２０８の左右方向の回動に伴って連通孔２１８に嵌合したプローブ２０７が応動するようになっていると共に、撮影部材２０２からの画像信号は、接触金具２０６、プローブ２０７、内部配線接続部２４を介して、端末本体内の各機能を実現する電子回路基板（図示せず）に接続される。
【００３６】
第１被係合部２０９は、図６および図７に示すように、上側端末本体２３の左頂部に形成された段差状の凹部２７略中央内側に、第１フランジ部２１６を回動可能に保持するように平面視円形状のガイド孔２２０が開孔されると共に、そのガイド孔２２０下部には、図７に示すように、上側端末本体２３背面側からアンテナ部１１側へ向かって反時計周りに略２７０度強に亘って該凸部２１９が回動可能に形成された大径部２２１と該第１フランジ部２１６外周面と摺接可能に形成された小径部２２２とが段部２２３を介して、あり溝状に連続形成された回動規制部２２４が設けられている。
【００３７】
この左右方向の回動範囲を決定する凸部２１９と回動規制部２２４は、上側端末本体２３と下側端末本体１５とを閉じることで左右方向任意に位置した撮影部２００が下側端末本体１５に当接して、撮影部２００を収納位置（レンズ部材１０４が真横を向く位置）に案内する所要の範囲となるように形成されている。
そして、上記した凸部２１９と回動規制部２２４とが係合するように第１フランジ部２１６と第１被係合部２０９とが係合して、撮影部２００が所定角度に亘って左右方向回動可能に接続されている。
なお、撮影部２００を収納位置（レンズ部材１０４が真横を向く位置）に案内するためには、撮影部筐体２０３外周面を凸湾曲形成させることが好ましい。
【００３８】
第２被係合部２１０は、レンズ部材１０４が液晶表示部１２に対して略垂直方向に向く位置を上下方向回動始点とし、上側端末本体２３に対してレンズ部材１０４が略真上を向く位置を上下方向回動終点とするように撮影部筐体２０３内に第２フランジ部２１７とスライド可能に係合するように、撮影部筐体２０３と一体成形されて形成されており、第２フランジ部２１７とこの第２被係合部２１０とが係合して該撮影部２００が略９０度上下方向回動可能に接続されている。
【００３９】
また、連結部材２０８の連通孔２１８に嵌合したプローブ２０７は、図８に示したように、撮影部２００の上下方向の回動には応動せずに固定状態を維持し、接触金具２０６が帯板部２１１に摺接しながら上下方向に移動して電気的接続を維持させるようになっている。なお、第２フランジ部２１７と第２被係合部２１０は凹湾曲していることで、左右方向の回動は抑止されている。
【００４０】
以上のように構成された実施形態２における携帯電話は、実施形態１と同様に携帯電話利用時において、上側端末本体２３と下側端末本体１５とを開くことで液晶表示部１２が点灯し、携帯電話機能、電子メール機能、インターネット機能等の各機能が利用可能となる。このとき、電子メールに自己の撮影画像等を添付したいとは、撮影部２００を上下左右方向の所望の位置まで回動させる。
【００４１】
このとき撮影部２００内部は、接触金具２０６が帯板部２１１に摺接しながら上下方向に移動して電気的接続を維持すると共に、左右方向の回動は、プローブ２０７先端部（接触子２１３）が内部配線接続部２４に当接しながら回動して電気的接続を維持する。そして撮影方向を所望の位置に向けたら撮影釦を押動させることで画像メモリ内に静止画像が取り込まれ、所定の操作をすることで撮影画像が添付されたメール本文が送信される。
【００４２】
そして携帯電話の利用が終了したら、上側端末本体２３と下側端末本体１５とを閉じるだけで、左右方向任意に位置した撮影部２００が下側端末本体１５に当接し、撮影部２００を収納位置（レンズ部材１０４が真横を向く位置）に案内されて、上側端末本体２３と下側端末本体１５とから撮影部２００が突出することなく、下側端末本体１５と撮影部２００が近接（略当接に近い状態）した状態で撮影部２００が収納される。
【００４３】
以上、本発明にかかる携帯端末装置を携帯電話に適用したものを説明したが、このものに限定されず、開閉可能な携帯端末装置であれば、音声通話機能を有するその他の携帯端末又は、音声通話機能を持たない携帯端末装置にも同様に適用可能である。
【００４４】
【発明の効果】
本発明は以上のように構成したから、下記の有利な効果を奏する。
本発明によれば、撮影部を上下左右方向に回動可能に設けたことで撮影方向の自由度を向上させた携帯端末装置が提供できる。
【００４５】
また、撮影部と上側端末本体とを所要の形状でもって構成したから、上側端末本体と下側端末本体とが折り畳まれた場合に、撮影部が下側端末本体及び操作釦などを破壊することなく、かつ、撮影部が本体から突出することなく、安全かつコンパクトに撮影部を収納することできる。
【００４６】
また、上下左右方向の回動に伴う内部配線のよれを防止する構成にすることで、断線の恐れもなく長期に亘って安定した電気的接続を保証することができる。
また、上側端末本体と下側端末本体とを閉じることで、左右方向任意に位置した撮影部が下側端末本体に当接し、撮影部を収納位置（レンズ部材が真横を向く位置）に案内する所要の範囲となるように左右方向の回動を規制する回動規制部を設けたから、撮影部がどの位置に向いていても上側端末本体と下側端末本体とを安易に閉じるだけで撮影部を収納することができる。
【００４７】
さらに、撮影部および回動機構を、わずかな部品点数でもって簡単な構造で構成したから、組立性の向上と共に経済性の向上を図ることができ、極めて好適な携帯端末装置を提供することができる。
【図面の簡単な説明】
【図１】  本実施形態における携帯電話を例示しており、
（１）開状態の左側面図である。
（２）開状態の正面図である。
【図２】  同、略９０度に開いた状態の正面側斜視図である。
【図３】  実施形態１における撮影部廻りの拡大縦断面図である。
【図４】  図２における（Ａ）−（Ａ）断面図である。
【図５】  撮影方向を真上にした時の実施形態１における撮影部廻りの拡大縦断面図である。
【図６】  実施形態２における撮影部廻りの拡大縦断面図である。
【図７】  図６における（Ｂ）−（Ｂ）断面図である。
【図８】  撮影方向を真上にした時の実施形態２における撮影部廻りの拡大縦断面図である。
【図９】  従来の撮影部を設けた携帯電話を例示しており、
（１）開状態の正面図である。
（２）開状態の一部切欠した右側面図である。
【符号の説明】
１３、２３  上側端末本体
１７、２７  凹部
１００、２００  撮影部
１０２  ２０２  撮影部材
２０６  接触金具
１０３、２０３  撮影部筐体
１０４  レンズ部材
１０１、２０１  回動機構
１０８、２０８  連結部材
１１１、２１６  第１フランジ部
２１９  凸部
１１２、２１７  第２フランジ部
１０９、２０９  第１被係合部
２２４  回動規制部
２２１  大径部
２２２  小径部
２２３  段部
１１０、２１０  第２被係合部
２０７  プローブ
２１１  帯板部
２１２  芯杆部
１２  液晶表示部
１４  操作釦
１５  下側端末本体
１６  ヒンジ部
２４  内部配線接続部
【図１】
0003704496.tif 000002
【図２】
0003704496.tif 000003
【図３】
0003704496.tif 000004
【図４】
0003704496.tif 000005
【図５】
0003704496.tif 000006
【図６】
0003704496.tif 000007
【図７】
0003704496.tif 000008
【図８】
0003704496.tif 000009
【図９】
0003704496.tif 000010